(57)【特許請求の範囲】
【請求項１】
光ファイバケーブル（２）を配線用光ファイバと分岐・接続するための光配線盤において、
函体（１）内に、各光ファイバケーブルから導出された光ファイバ（３ａ）と配線用光ファイバ（ｊ）とを接続切替可能に接続する光接続部（５３）を収納する複数のトレー（５４）を積層状態に収納してなり、
上下方向に複数積層されている前記トレーが、支持手段（５６）を介して函体に支持された支持トレー（５７）と、該支持トレー上に積層した補助トレー（５８）と、該補助トレーを支持トレーに沿ってスライド移動する方向に回動自在に連結するスライド回動機構（５９）とを具備してなり、
補助トレーが回動によって支持トレー上から函体前後方向前側に引き出し可能かつ支持トレー上に重合可能であり、
函体に積層して収納された複数のトレーの支持トレーは、それぞれ、前記函体に取り付けられた前記支持手段としてのブラケット（５６）によって回動自在に支持されて上下方向に揺動自在として設けられ、
前記ブラケットは、前記支持トレーに設けられた係合ピン（７４）と係合することで前記支持トレーを前記函体の奥側から前側に行くに従って上側となる上向きに傾斜支持する係合溝（７５）と、前記支持トレーに設けられた係合ピン（７４）と係合することで前記支持トレーを前記函体の奥側から前側に行くに従って下側となる下向きに傾斜支持する係合溝（７５）とを有し、
上下に隣り合う前記トレーの対の内、上側のトレーを前記ブラケットによって上向きに傾斜支持し、下側のトレーを前記ブラケットによって下向きに傾斜支持した状態で、前記補助トレーを回動して函体前側に引き出すことで、前記補助トレー及び前記支持トレーの双方の作業面が露出された状態を実現できることを特徴とする光配線盤（５０）。
【請求項２】
支持トレーおよび補助トレーのスライド回動機構近傍にコード挿通口（６１ａ、６１ｂ）が開口され、
支持トレーと補助トレーとの間の渡り配線をスライド回動機構の近傍に布線できることを特徴とする請求項１記載の光配線盤。
【請求項３】
前記光接続部が光アダプタであり、前記光アダプタは、前記支持トレーと前記補助トレーとにそれぞれ設けられ、それぞれ、前記配線用光ファイバの先端のプラグ（３４）が差し込まれるようになっており、
前記補助トレーを回動によって支持トレーの外側に引き出して、前記支持トレー及び前記補助トレーの作業面を開放させることで、前記支持トレーと前記補助トレーとの間で、光ファイバケーブルから導出された光ファイバに対する配線用光ファイバの接続切替作業を行えることを特徴とする請求項１又は２記載の光配線盤。
【請求項４】
光ファイバケーブル（２）を配線用光ファイバと分岐・接続するための光配線盤において、
函体（１）内に、各光ファイバケーブルから導出された光ファイバ（３ａ）と配線用光ファイバ（ｊ）とを接続切替可能に接続する光アダプタ（５３）を収納する複数のトレー（１０３）を積層状態に収納してなり、
上下方向に複数積層されている前記トレーが、支持手段（５６）を介して函体に支持された支持トレー（５７）と、該支持トレー上に積層した補助トレー（１０１）と、前記支持トレーの函体前後方向奥側に配置される基端部（５５）とは反対側の端部である先端部（１０４）及び補助トレーの前記支持トレー上に積層状態にあるときに前記支持トレーの先端部に近接する端部である先端部（１０５）をこれら端部間の境界に沿った軸線を以て回動自在に連結する回動開閉機構（１０２）とを具備してなり、
補助トレーは支持トレー上から上方へ回動し前記回動開閉機構の回動の軸線を介して反転させて函体前後方向前側に引き出し可能かつ引き出し時とは逆方向の回動によって支持トレー上に重合可能であり、補助トレーを支持トレーに重合させた時には支持トレーおよび補助トレーの双方の作業面が対向して共に閉塞され、前記補助トレーを函体前側に引き出したときには支持トレーおよび補助トレーの双方の作業面が共に上方を向くようになっており、
函体に積層して収納された複数のトレーの支持トレーは、それぞれ、前記函体に取り付けられた前記支持手段としてのブラケット（５６）によって回動自在に支持されて上下方向に揺動自在として設けられ、
前記ブラケットは、前記支持トレーに設けられた係合ピン（７４）と係合することで前記支持トレーを前記函体の奥側から前側に行くに従って上側となる上向きに傾斜支持する係合溝（７５）と、前記支持トレーに設けられた係合ピン（７４）と係合することで前記支持トレーを前記函体の奥側から前側に行くに従って下側となる下向きに傾斜支持する係合溝（７５）とを有し、
上下に隣り合う前記トレーの対の内、上側のトレーを前記ブラケットによって上向きに傾斜支持し、下側のトレーを前記ブラケットによって下向きに傾斜支持した状態で、前記補助トレーを回動して函体前側に引き出すことで、前記補助トレー及び前記支持トレーの双方の作業面が露出された状態を実現でき、
前記支持トレーは、前記配線用光ファイバを導入するためのコード導入口（６０ｂ）を、前記函体に回動自在に支持された基端部（５５）に有し、
前記支持トレーの前記基端部とは逆の先端部（１０４）と、該支持トレーの先端部に前記回動開閉機構によって連結された補助トレーの先端部（１０５）とに開口されたコード挿通口（１１０、１１１）を介して、前記配線用光ファイバを支持トレーから補助トレーに導入可能であり、
前記光アダプタは、前記支持トレーと前記補助トレーとにそれぞれ設けられ、それぞれ、前記配線用光ファイバの先端のプラグ（３４）が差し込まれるようになっており、
前記補助トレーを回動によって支持トレーの外側に引き出せば、前記支持トレー及び前記補助トレーの作業面が開放されて、前記支持トレーと前記補助トレーとの間で、光ファイバケーブルから導出された光ファイバに対する配線用光ファイバの接続切替作業を行えることを特徴とする光配線盤（１００）。
【請求項５】
複数の前記トレーを積層状態に収納する分岐接続トレー収納部（５２）と、光ファイバケーブルから導出された光ファイバに融着接続された分岐接続用のファンアウトコード（３ｂ）と、光ファイバケーブルから導出された光ファイバに前記ファンアウトコードを融着接続した融着接続部及び接続余長を収納する融着トレー収納部（５１）とを具備し、
前記ファンアウトコードは、光ファイバケーブルから導出された光ファイバに融着接続された一端部と、該ファンアウトコードに設けられた分岐部（７）から、それぞれ、前記光アダプタにて前記配線用光ファイバに対して切替可能に接続される分岐コード（３ｃ）に単心分岐された他端部とを具備し、
前記分岐コードと前記配線用光ファイバとが、前記支持トレー及び補助トレーの前記光アダプタを介して接続切替可能に光接続されるようになっていることを特徴とする請求項３又は４記載の光配線盤。
【請求項６】
前記支持トレーの内部及び前記補助トレーの内部に、前記ファンアウトコードの分岐部を固定する分岐部ホルダ（６８）が設けられていることを特徴とする請求項５記載の光配線盤。
【発明の詳細な説明】
【０００１】
【発明の属する技術分野】
本発明は、光ファイバケーブルあるいは光ファイバコードを別の光ファイバと分岐・接続するための光配線盤に関する。
【０００２】
【従来の技術】
光ファイバケーブルを光接続により光ファイバ心線へ分岐接続するには、多数の光ファイバを成端して群構成とする光配線盤が一般的に使用される。これら、光配線盤は、光ファイバの分岐接続のためのコネクタ接続部、多心単心分岐部、およびジャンパ用の光コード、光コードの光接続に伴う余長部がコンパクトに収納されたトレーが高密度で多段に積層された構造である。
【０００３】
図１０は、従来の光配線盤を示す正面図である。
図において、光配線盤は、所定位置に固定設置される函体１内部に、函体１の下部から立ち上がってくる光ファイバケーブル２の口出し部から引き出した光ファイバコード３ａ（光ファイバ心線）の束を上側へ布線する分岐部４ａと、該分岐部４ａにおいて前記光ファイバコード３ａを図示しない融着接続補強部を介して分岐接続用のファンアウトコード３ｂの分岐されていない一端部と接続し、かつ当該融着接続補強部を収納する融着部トレー６を函体１下側において多数積層状態に収納する融着部トレー収納部Ｔ1と、前記ファンアウトコード３ｂの分岐された他端部の各分岐コードにジャンパコードｊを接続切替可能に接続する光アダプタ（図示せず）を収納する分岐接続トレー８を函体１の上部において積層状態に収納する分岐接続トレー収納部Ｔ2とを具備している。
【０００４】
ファンアウトコード３ｂの分岐されてない一端部は、各融着部トレー６内に図１０中右側から導入され、融着部トレー６の左側から導入された光ファイバコード３ａと融着部トレー６内で接続されている。ファンアウトコード３ｂの中央部はトレー収納部Ｔ1、Ｔ2の間に配置されたセンタートレー９に挿通され、ファンアウトコード３ｂの分岐された他端部は分岐接続トレー収納部Ｔ2の各分岐接続トレー８内に図中左側から導入され、右側から分岐接続トレー８に導入されたジャンパコードｊと接続切替可能に接続されている。
【０００５】
ジャンパコードｊは、分岐接続トレー８間に布線され、ファンアウトコード３ｂから分岐した分岐コード同士を接続するようになっている。ジャンパコードｊの余長は、最下段に配置された余長収納トレー９ａ内に収納される。また、分岐接続トレー８内では、函体１の上部に配置された渡配線収納トレー９ｂを介して函体１の外部から導入された光ファイバコード３ｄが導びかれて分岐コードと光接続されるケースもある。
なお、函体１内に布線されるこれらファンアウトコード３ｂ、ジャンパコードｊ、光ファイバコード３ｄは、函体１の両側板１０の内面側に突設した支持具４によって、光信号伝送特性に影響を与えない程度の適切なクランプ力で着脱可能にクランプされて引き留められている。
【０００６】
分岐接続トレー収納部Ｔ2は、函体１の背面パネル１１の左右両端部から前方（紙面手前側）に突設されたガイド棒１５によって、分岐接続トレー８を函体１の前後方向（紙面奥行き方向）にスライド移動自在に支持した構造になっている。ガイド棒１５は、背面パネル１１において上下位置が互いに一致する対を形成するように背面パネル１１の左右に対向配置されている。分岐接続トレー８は、左右一対のガイド棒によって、水平を維持しつつ函体１の前後方向に出し入れされるようになっている。
なお、ジャンパコードｊおよびファンアウトコード３ｂは、分岐接続トレー８の左右両側部に設置した図示しないゲートを介して分岐接続トレー８内に挿通されている。
【０００７】
【発明が解決しようとする課題】
ところで、伝送情報量の増大に対応して光ケーブルが多心化の傾向にあることに鑑みて、前記配線盤としては、特に、より多数の光接続部および接続余長をコンパクトに収納することが重要となってきている。加えて、配線盤内の光接続箇所が膨大な数になるので、光接続作業や光接続部の収納、取り出し作業あるいは接続切替作業を迅速に行なうことができる光配線盤の開発が望まれている。
【０００８】
しかしながら、図１０に示した光配線盤にあっては、対応心数を増大するにはトレー６、８の積層数を増大することが考えられるが、各トレー６、８をガイド棒１５で函体１の前後方向への出し入れ可能に支持する必要から、これらトレー６、８の積層密度を高めるには限界があるので、トレー６、８の積層数が膨大になり函体１が大型化してしまうといった問題が生じる。また、トレー６、８の積層数が多いと、接続切替時に目的の光ファイバを探すのに手間がかかり、接続切替の作業能率が低下するといった問題も生じていた。
【０００９】
加えて、トレー８のゲート近傍にあるファンアウトコード３ｂにトレー８の引き出し時の移動量に対応した長さの引出余長を確保する必要があるので、函体１の側部の構造が複雑になるといった問題もある。この問題に対処するには、例えば特願昭６２−２６２５２０号（特開平１−１０２４０６号）に示されるような技術の応用が考えられる。すなわち、図１１に示すように、函体２０の背面側（図１１右側）に配置したブラケット２１によってトレー２２を支持し、該トレー２２を函体２０の奥側に配置した基端部２３を中心として上下方向（図中上下）へ揺動自在に支持する構造を適用する。この場合、ファンアウトコード３ｂやジャンパコードｊ（図１１中図示していない）をトレー２２内に導入するゲートは全てトレー２２の基端部２３に設置されるので、引出余長を解消することができる。
しかしながら、図１１に示す技術の場合、トレー２２の揺動用のスペースを函体１内に確保する必要があるのでトレー２２の積層数を増加することが困難であり、結局、配線盤の対応心数の増大が難しくなってしまうといった問題がある。
【００１０】
本発明は、前述の課題に鑑みてなされたもので、対応心数が増大し、しかも、接続切替作業等の作業能率が向上する光配線盤を提供することを目的とするものである。
【００１１】
【課題を解決するための手段】
本発明は、前記課題を解決するため、以下の構成を採用した。
すなわち、請求項１記載の光配線盤では、光ファイバケーブルを配線用光ファイバと分岐・接続するための光配線盤において、函体内に、各光ファイバケーブルから導出された光ファイバと配線用光ファイバとを接続切替可能に接続する光接続部を収納する複数のトレーを積層状態に収納してなり、上下方向に複数積層されている前記トレーが、支持手段を介して函体に支持された支持トレーと、該支持トレー上に積層した補助トレーと、該補助トレーを支持トレーに沿ってスライド移動する方向に回動自在に連結するスライド回動機構とを具備してなり、補助トレーが回動によって支持トレー上から函体前後方向前側に引き出し可能かつ支持トレー上に重合可能であり、函体に積層して収納された複数のトレーの支持トレーは、それぞれ、前記函体に取り付けられた前記支持手段としてのブラケットによって回動自在に支持されて上下方向に揺動自在として設けられ、前記ブラケットは、前記支持トレーに設けられた係合ピンと係合することで前記支持トレーを前記函体の奥側から前側に行くに従って上側となる上向きに傾斜支持する係合溝と、前記支持トレーに設けられた係合ピンと係合することで前記支持トレーを前記函体の奥側から前側に行くに従って下側となる下向きに傾斜支持する係合溝とを有し、上下に隣り合う前記トレーの対の内、上側のトレーを前記ブラケットによって上向きに傾斜支持し、下側のトレーを前記ブラケットによって下向きに傾斜支持した状態で、前記補助トレーを回動して函体前側に引き出すことで、前記補助トレー及び前記支持トレーの双方の作業面が露出された状態を実現できることを特徴とする光配線盤を前記課題の解決手段とした。
請求項２記載の発明は、請求項１記載の光配線盤において、支持トレーおよび補助トレーのスライド回動機構近傍にコード挿通口が開口され、支持トレーと補助トレーとの間の渡り配線をスライド回動機構の近傍に布線できることを特徴とする。
請求項３記載の発明は、請求項１又は２記載の光配線盤において、前記光接続部が光アダプタであり、前記光アダプタは、前記支持トレーと前記補助トレーとにそれぞれ設けられ、それぞれ、前記配線用光ファイバの先端のプラグが差し込まれるようになっており、前記補助トレーを回動によって支持トレーの外側に引き出して、前記支持トレー及び前記補助トレーの作業面を開放させることで、前記支持トレーと前記補助トレーとの間で、光ファイバケーブルから導出された光ファイバに対する配線用光ファイバの接続切替作業を行えることを特徴とする。
【００１２】
請求項４記載の光配線盤では、光ファイバケーブルを配線用光ファイバと分岐・接続するための光配線盤において、函体内に、各光ファイバケーブルから導出された光ファイバと配線用光ファイバとを接続切替可能に接続する光アダプタを収納する複数のトレーを積層状態に収納してなり、上下方向に複数積層されている前記トレーが、支持手段を介して函体に支持された支持トレーと、該支持トレー上に積層した補助トレーと、前記支持トレーの函体前後方向奥側に配置される基端部とは反対側の端部である先端部及び補助トレーの前記支持トレー上に積層状態にあるときに前記支持トレーの先端部に近接する端部である先端部をこれら端部間の境界に沿った軸線を以て回動自在に連結する回動開閉機構とを具備してなり、補助トレーは支持トレー上から上方へ回動し前記回動開閉機構の回動の軸線を介して反転させて函体前後方向前側に引き出し可能かつ引き出し時とは逆方向の回動によって支持トレー上に重合可能であり、補助トレーを支持トレーに重合させた時には支持トレーおよび補助トレーの双方の作業面が対向して共に閉塞され、前記補助トレーを函体前側に引き出したときには支持トレーおよび補助トレーの双方の作業面が共に上方を向くようになっており、函体に積層して収納された複数のトレーの支持トレーは、それぞれ、前記函体に取り付けられた前記支持手段としてのブラケットによって回動自在に支持されて上下方向に揺動自在として設けられ、前記ブラケットは、前記支持トレーに設けられた係合ピンと係合することで前記支持トレーを前記函体の奥側から前側に行くに従って上側となる上向きに傾斜支持する係合溝と、前記支持トレーに設けられた係合ピンと係合することで前記支持トレーを前記函体の奥側から前側に行くに従って下側となる下向きに傾斜支持する係合溝とを有し、上下に隣り合う前記トレーの対の内、上側のトレーを前記ブラケットによって上向きに傾斜支持し、下側のトレーを前記ブラケットによって下向きに傾斜支持した状態で、前記補助トレーを回動して函体前側に引き出すことで、前記補助トレー及び前記支持トレーの双方の作業面が露出された状態を実現でき、前記支持トレーは、前記配線用光ファイバを導入するためのコード導入口を、前記函体に回動自在に支持された基端部に有し、前記支持トレーの前記基端部とは逆の先端部と、該支持トレーの先端部に前記回動開閉機構によって連結された補助トレーの先端部とに開口されたコード挿通口を介して、前記配線用光ファイバを支持トレーから補助トレーに導入可能であり、前記光アダプタは、前記支持トレーと前記補助トレーとにそれぞれ設けられ、それぞれ、前記配線用光ファイバの先端のプラグが差し込まれるようになっており、前記補助トレーを回動によって支持トレーの外側に引き出せば、前記支持トレー及び前記補助トレーの作業面が開放されて、前記支持トレーと前記補助トレーとの間で、光ファイバケーブルから導出された光ファイバに対する配線用光ファイバの接続切替作業を行えることを前記課題の解決手段とした。
請求項５記載の発明は、請求項３又は４記載の光配線盤において、複数の前記トレーを積層状態に収納する分岐接続トレー収納部と、光ファイバケーブルから導出された光ファイバに融着接続された分岐接続用のファンアウトコードと、光ファイバケーブルから導出された光ファイバに前記ファンアウトコードを融着接続した融着接続部及び接続余長を収納する融着トレー収納部とを具備し、前記ファンアウトコードは、光ファイバケーブルから導出された光ファイバに融着接続された一端部と、該ファンアウトコードに設けられた分岐部から、それぞれ、前記光アダプタにて前記配線用光ファイバに対して切替可能に接続される分岐コードに単心分岐された他端部とを具備し、前記分岐コードと前記配線用光ファイバとが、前記支持トレー及び補助トレーの前記光アダプタを介して接続切替可能に光接続されるようになっていることを特徴とする。
請求項６記載の発明は、請求項５記載の光配線盤において、前記支持トレーの内部及び前記補助トレーの内部に、前記ファンアウトコードの分岐部を固定する分岐部ホルダが設けられていることを特徴とする。
【００１３】
以下、本発明の作用を説明する。
請求項１記載の光配線盤によれば、支持トレーと補助トレーとを積層した構造によってトレー間等に生じる無駄な隙間等が解消されるので、配線盤全体の対応心数を増大することが可能になる。また、補助トレーを回動することにより支持トレーの外側に引き出せば、支持トレーの作業面を開放することができる。この時、支持トレーと補助トレーとの間の渡配線をスライド回動機構の近傍に布線することにより、該渡配線に引出余長をほとんど確保する必要がなくなり、補助トレーの回動がトレー内部の光部品に影響を与えることが回避される。また、接続切替される光ファイバと配線用光ファイバとを、一対の支持トレーと補助トレーとに振り分けて整理して収納することができる。この場合、これら支持トレーと補助トレーとの間での接続切替等の作業能率が向上する。
【００１４】
請求項４記載の光配線盤によれば、支持トレーと補助トレーとを積層した構造によってトレー間等に生じる無駄な隙間等が解消されるので、配線盤全体の対応心数を増大することが可能になる。また、補助トレーを回動することにより支持トレーの外側に引き出せば、支持トレーの作業面を開放することができる。この時、支持トレーと補助トレーとの間の渡配線を回動開閉機構の近傍に布線することにより、該渡配線に引出余長をほとんど確保する必要がなくなり、補助トレーの回動がトレー内部の光部品に与える影響がほとんど無くなる。回動開閉機構による補助トレーの回動軸線は補助トレーと支持トレーとの境界全体に延在し、該回動軸線の近傍ならどこに布線しても渡配線に引出余長は不要であるので、布線位置の確保が容易になり、渡配線の心数の増大が可能になるといった設計の自由度が向上する。
【００１５】
【発明の実施の形態】
以下本発明の光配線盤の第１実施例を、図１から図７を参照して説明する。
本実施例の光配線盤５０は、図１０および図１１記載の光配線盤において、融着トレー収納部Ｔ1および分岐接続トレーＴ2にかえて、符号５１の融着トレー収納部および５２の分岐接続トレー収納部５２を適用したものである。
なお、図中、図１０および図１１と同一の構成部分には同一の符号を付し、その説明を簡略化する。
【００１６】
図１は、光配線盤５０を示す側面図である。
分岐接続トレー収納部５２は、函体１の中央部から上部にわたって延在し、４心テープ心線を単心分岐するファンアウトコード３ｂの単心分岐された他端にジャンパコードｊを接続切替可能に接続するＳＣ型の光アダプタ（光接続部）５３（図２および図３参照）を収納する複数の分岐接続トレー５４を積層状態に収納している。
各分岐接続トレー５４は、図１に示すように、函体１の奥側に配置される基端部５５が函体１に取り付けられたブラケット５６によって回動自在に支持されたことにより、上下方向に揺動自在とされた支持トレー５７と、該支持トレー５７の上側に積層された補助トレー５８とから構成されている。補助トレー５８は、図２および図３に示すように、支持トレー５７および補助トレー５８の先端側の隅部同士を連結するスライド回動機構５９によって支持トレー５７に対してスライド移動する方向に回動自在に取り付けられ、支持トレー５７上に重合可能、かつ函体１の前方に引き出し可能になっている。
【００１７】
支持トレー５７および補助トレー５８は共に上側が開放されており、図２中実線および図３中鎖線に示すように補助トレー５８を函体１の前側（図２左側、図３左下側）に引き出すことにより、支持トレー５７および補助トレー５８の双方の作業面が露出されるようになっている。
なお、ファンアウトコード３ｂの他端は、分岐部７から４本の単心の分岐コード３ｃに分岐されている。
また、ジャンパコードｊは請求項１記載の配線用光ファイバとして機能する。
【００１８】
図２は支持トレー５７および補助トレー５８の内部構成を示す平面図である。図において、支持トレー５７内には基端部５５の一側部（図２上側）に開口されたコード導入口６０ａから１２本のファンアウトコード３ｂが導入され、他側部に開口されたコード導入口６０ｂから４８本のジャンパコードｊが導入されるようになっている。コード導入口６０ａ、６０ｂには、ファンアウトコード３ｂまたはジャンパコードｊを引き留めるリング状の引留具６０ｃが設けられている。支持トレー５７に導入されたファンアウトコード３ｂおよびジャンパコードｊの内、６本のファンアウトコード３ｂと２４本のジャンパコードｊとは、支持トレー５７および補助トレー５８のスライド回動機構５９近傍に開口されたコード挿通口６１ａ、６１ｂを介して補助トレー５８内に導入されている。
【００１９】
支持トレー５７の基端部５５の内部には、ファンアウトコード３ｂの分岐部７を２個クランプ保持することができる分岐部ホルダ６２が計４基設置されている。支持トレー５７内で分岐・接続されるファンアウトコード３ｂは計６本であり、これらファンアウトコード３ｂの分岐部７はいずれかの分岐ホルダ６２によってクランプ保持されるようになっている。
【００２０】
支持トレー５７の基端部５５より中央部寄りの内部には、分岐コード３ｃの余長を規定以上の湾曲半径を維持して処理するための余長処理部６３が設けられている。余長処理部６３は、支持トレー５７の底板６６に設置した複数の門形固定具６７によって分岐コード３ｃの余長部分を底板６６との間に固定するようになっている。
なお、固定具６７は、後述するジャンパコードｊ用の余長処理部６５にも適用されてジャンパコードｊの余長を固定するほか、底板６６の適宜場所に設置されて底板６６上に布線されるファンアウトコード３ｂや分岐コード３ｃやジャンパコードｊの固定に利用されている。
【００２１】
支持トレー５７の中央部には、複数の光アダプタ５３を上下２段に配列保持するアダプタ保持板６４が立設されている。該アダプタ保持板６４は、函体１の左右方向（図２上下）に延在され、一段に１２基、合計２４基の光アダプタ５３を配列保持している。これら光アダプタ５３は、ファンアウトコード３ｂやジャンパコードｊの端部を成端するプラグ３４が差し込まれることにより、これらファンアウトコード３ｂやジャンパコードｊ同士を接続切替可能に光接続するようになっている。
【００２２】
支持トレー５７の他側部（図２下側）の内部には、ジャンパコードｊの余長を規定以上の湾曲半径を維持して処理する余長処理部６５が設けられている。該余長処理部６５は、支持トレー５７の底板６６上に設置した複数の固定具６７によってジャンパコードｊの余長部分を複数箇所で固定するようになっている。
【００２３】
以下、補助トレー５８について説明する。
補助トレー５８は、支持トレー５７とほぼ重なり合う扁平薄板状に形成されている。コード挿通口６１ｂから補助トレー５７内に導入された６本のファンアウトコード３ｂは、補助トレー５８の先端部に沿って布線され、補助トレー５８の先端部および中央部に設置された複数の分岐部ホルダ６８のいずれかによって分岐部７が固定され、さらに分岐部７から分岐された分岐コード３ｃが、補助トレー５８の他側部５８ａの内部に設置された余長処理部６９で余長処理された上、補助トレー５８の中央部に配置されたアダプタ保持板７０に保持された複数の光アダプタ５３の内のいずれかにプラグ３４で成端された端部が差し込まれるようになっている。
【００２４】
一方、コード挿通口６１ｂから補助トレー５８内に導入されたジャンパコードｊは、補助トレー５８の他側部５８ａおよび先端部に沿って布線されるとともに、補助トレー５８の一側部５８ｂに設置された余長処理部７１で余長処理された上、いずれかの光アダプタ５３にプラグ成端された端部が差し込まれることにより、光アダプタ５３の反対側から差し込まれた分岐コード３ｃと接続切替可能に光接続されるようになっている。
アダプタ保持板７０は、補助トレー５８の前後方向（図２中実線上下）に延在し、光アダプタ５３を上下２段に１２基ずつ、計２４基を配列保持している。
なお、補助トレー５８内の二つの余長処理部６８、７１は、いずれも固定具６７を利用してファンアウトコード３ｂや分岐コード３ｃやジャンパコードｊを固定するようになっている。
【００２５】
次に、スライド回動機構５９を説明する。
スライド回動機構５９は、図２および図３に示すように、支持トレー５７から外側に突設された軸８１を、補助トレー５８から外側に突設され、前記軸７２を回動自在に支持する回動ブラケット８２によって、支持トレー５７の底板６６に対して垂直な軸線を以て補助トレー５８を回動自在に支持するようになっている。
【００２６】
次に、ブラケット５６について、図４を参照して説明する。
図において、ブラケット５６は、函体１の背面パネル１１の内面側に固定され、支持トレー５７の基端部５５の下面に固定した連結プレート７２を水平軸線を以て回動自在に軸支する回動ピン７３と、連結プレート７２の回動ピン７３との係合位置から離間した位置に取り付けられた係合ピン７４を上下に離間した異なる２カ所で係合支持する係合溝７５とを有している。回動ピン７３は連結プレート７２に開口した長穴７６に挿通されているので、支持トレー５７を函体１の前後方向（図４左右）に移動しながら上下方向に回動させることにより、係合ピン７４を係合させる係合溝７５を変更することができる。また、ブラケット５６は、上側の係合溝７５に係合ピン７４が係合された時には、支持トレー５７を上向きに傾斜させて支持することができ、下側の係合溝７５に係合された時には下向きに傾斜させて支持することができるようになっている。
【００２７】
図１に示すように、分岐接続トレー収納部５２の下端部（図１下側）には、ファンアウトコード３ｂの中央部を収納するセンタートレー９が設置されている。分岐接続トレー収納部５２の上部には、光配線盤間の渡配線３ｄを導入するための渡配線収納トレー９ｂおよび函体１の側面に開口する渡配線口９ｃが設置されている。
分岐接続トレー５４は、請求項１記載のトレーに相当する。
【００２８】
融着トレー収納部５１は、図１０記載の融着部トレー６を前後方向に出し入れ可能に多段に収納し、ファンアウトコード３ｂと光ファイバコード３ａとの融着接続部および接続余長をこれら融着部トレー６内に整理して収納した構造になっている。
融着トレー収納部５１の下側にはジャンパコードｊの余長を収納する余長収納トレー９ａが設置されている。
【００２９】
以下、本実施例の作用および効果を説明する。
本実施例の光配線盤５０は、分岐接続トレー５４に導入した１２本のファンアウトコード３ｂおよび４８本のジャンパコードｊを支持トレー５７と補助トレー５８に振り分けて収納し、それぞれのトレー５７、５８内でこれらファンアウトコード３ｂとジャンパコードｊとを接続切替可能に光接続するようになっている。
分岐接続トレー５４内で接続切替等の作業を行う場合には、図５に示すように、目的の分岐接続トレー５４の直上の分岐接続トレー５４を上方に回動してブラケット５６を利用して上向きに係止しておき、目的の分岐接続トレー５４を露出させる。ここで、補助トレー５８についてのみ作業を行う場合にはこの状態で補助トレー５８の作業面が露出しているので作業可能であるが、支持トレー５７内で作業を行う場合には補助トレー５８を前側に引き出して支持トレー５７の作業面を露出させる。
【００３０】
補助トレー５８の引き出しは、スライド回動機構５９を中心とする回動によってなされるので、コード挿通口６１ａ、６１ｂ間で支持トレー５７と補助トレー５８との間に渡されたファンアウトコード３ｂおよびジャンパコードｊの変位量が少なくて済み、これらコード３ｂ、ｊに引き出し余長を確保する必要は無い。したがって、本実施例の光配線盤５０によれば、補助トレー５８を回動しても支持トレー５７や補助トレー５８内に収納した光部品に外力を加わえることが無く、これら光部品の光信号伝送特性を安定に維持することができ、接続切替等の作業を活線状態のまま安定に行うことができる。
【００３１】
補助トレー５８を引き出して補助トレー５８と支持トレー５７の双方の作業面を露出させた場合には、支持トレー５７と補助トレー５８とに分かれて収納された分岐コード３ｃとジャンパコードｊとの間で接続切替する時に、対象のコード３ｃ、ｊが全てほぼ同一の平面上にしかも互いに近い位置に配置されるので、効率良く作業を行うことができる。
【００３２】
また、分岐接続トレー５４の積層数を従来の光配線盤の分岐接続トレー８に比べて減少させることができるので、作業対象の光ファイバ３ｃ、ｊを収納する分岐接続トレー５４を見付けやすく、別の分岐接続トレー５４間で接続切替を行う場合であっても、作業を効率良く行うことができる。加えて、分岐接続トレー５４の積層数の減少は、分岐接続トレー５４を函体１に支持する支持手段の設置数を減少して光配線盤の低コスト化を可能にするともに、結果的に従来の光配線盤に比べてトレー間に生じる隙間を減少することができ、対応心数を増大することができる。
【００３３】
以下本発明の光配線盤の第２実施例を、図６から図９を参照して説明する。
なお、図中、図１から図６と同一の構成部分には同一の符号を付し、その説明を簡略化する。
本実施例の光配線盤１００は、図１に示すように、支持トレー５７の上側に補助トレー１０１を積層し、これら補助トレー１０１および支持トレー５７の先端部１０４、１０５同士を、ヒンジ機構１０２を介して支持トレー５７および補助トレー１０１の先端部１０４、１０５間の境界に沿った軸線を以て回動自在に連結してなる分岐接続トレー１０３を多段に積層した構成になっている。
支持トレー５７および補助トレー１０１の先端部１０４、１０５は、共に平坦な先端面１０４ａ、１０５ａを有し、図７および図９に示すように、補助トレー１０１を開放した時には先端面１０４ａ、１０５ａ同士が対向するようになっている。また、ヒンジ機構１０２は、先端部１０４、１０５の幅方向（図７上下）両端に配置されている。
【００３４】
図７は、分岐接続トレー１０３を示す平面図である。
補助トレー１０１は、４本のファンアウトコード３ｂと１６本のジャンパコードｊとを、内部に配置した計１６基の光アダプタ５３を介して接続切替可能に光接続する構造になっている。光アダプタ５３は、補助トレー１０１の中央部に立設したアダプタ支持板１０６によって、８基ずつ上下２段に配列されている。アダプタ支持板１０６の一側部にはファンアウトコード３ｂの余長を収納する余長収納部１０７および分岐部７をクランプ保持する分岐部ホルダ１０８が設置され、アダプタ支持板１０６の他側部にはジャンパコードｊの余長を収納する余長収納部１０９が設置されている。ファンアウトコード３ｂおよびジャンパコードｊは、分岐トレー５７の先端部１０４のヒンジ機構１０２間に開口されたコード挿通口１１０および補助トレー１０１の先端部１０５のヒンジ機構１０２間に開口されたコード挿通口１１１を介して補助トレー１０１内に導入されている。
【００３５】
また、補助トレー１０１は、先端部１０５から該先端部１０５と対向する後端部１１２までの寸法が支持トレー５７のそれよりも短くなっている。その結果、補助トレー１０１の回動半径が縮小するので、図６に示すように、任意の補助トレー１０１を開放する際には、直上の分岐接続トレー１０３の上方への回動量が抑えられるようになっている。
加えて、支持トレー５７と補助トレー１０１とは、互いの作業面が積層時（図８参照）に対向し、開放時（図７および図９参照）には共に上方を向くようになっている。
【００３６】
ヒンジ機構１０２は、支持トレー５７および補助トレー１０１の先端部１０４、１０５同士間の境界に配置された蝶番であって、請求項４記載の回動開閉機構に相当する。
【００３７】
以下、本実施例の作用および効果を説明する。
本実施例の光配線盤１００は、収納時には、図６実線および図８実線に示すように、補助トレー１０１を支持トレー５７に重合させておく。この時、支持トレー５７および補助トレー１０１の双方の作業面が対向して共に閉塞されるので、内部に収納した光部品を安定に保護することができる。その結果、ブラケット５６を中心として分岐接続トレー１０３を上下に揺動させた場合であっても、内部に収納した光部品が保護されているので、隣接して積層された分岐接続トレー１０３との接触等が回避されて、これら光部品の光信号伝送特性に影響を与えることなく作業を行うことができる。
【００３８】
一方、分岐接続トレー１０３を開放して接続切替等の作業を実施する場合には、図９に示すように、補助トレー１０１を回動させて函体１の前側（図９左側）に引き出すが、この時、引き出した補助トレー１０１が複数のヒンジ機構１０２によって支持トレー５７に安定に支持されるので、引き出した補助トレー１０１の振動等を防止することができ、光部品や光通信への振動の影響が減少して、光信号の伝送性能の信頼性が向上する。
また、コード挿通口１１０、１１１内であればどこにでもファンアウトコード３ｂおよびジャンパコードｊの渡配線を布線することができ、支持トレー５７や補助トレー１０１の設計の自由度が向上するとともに、渡配線の心数の増大も可能になる。その結果、分岐接続トレー１０３の収納心数や収納する光部品の種類等に対する汎用性が向上する。
【００３９】
なお、各実施例において、分岐接続トレーに搭載する光部品の内容は、本実施例に記載したものに限定されない。
また、函体におけるトレーの積層数や、支持トレーおよび補助トレーの対応心数は、各実施例に記載した数に限定されない。
本願第２実施例における支持トレー５７に対する補助トレー１０１の取り付け位置は支持トレー５７の先端部１０４以外、中央部であってもよい。
【００４０】
【発明の効果】
以上説明したように、請求項１記載の光配線盤によれば、支持トレーと補助トレーとを積層した構造によってトレー間等に生じる無駄な隙間等が解消されるので、配線盤全体の対応心数を増大することが可能になる。また、補助トレーを回動することにより支持トレーの外側に引き出せば、支持トレーの作業面を開放することができ、支持トレーと補助トレーとの間の渡配線をスライド回動機構の近傍に布線することにより、該渡配線に引出余長をほとんど確保する必要がなくなり、補助トレーの回動がトレー内部の光部品に与える影響がほとんど無くなり、活線状態でも安定して接続切替等の作業を行うことができる。また、接続切替される光ファイバと配線用光ファイバとを、一対の支持トレーと補助トレーとに振り分けて整理して収納することができ、補助トレーを引き出した時に双方のトレーの作業面が同時に、しかも互いに近い位置に開放されるので、これら支持トレーと補助トレーとの間での接続切替等の作業能率が向上するといった優れた効果を奏する。
【００４１】
請求項４記載の光配線盤によれば、支持トレーと補助トレーとを積層した構造によってトレー間等に生じる無駄な隙間等が解消されるので、配線盤全体の対応心数を増大することが可能になる。また、補助トレーを回動して支持トレーの外側に引き出せば、支持トレーおよび補助トレーの作業面が同時、かつ互いに近い位置に開放されるので、接続切替等の作業能率が向上する。支持トレーと補助トレーとの間の渡配線を回動開閉機構または該回動開閉機構による補助トレーの回動軸線の近傍に布線することにより、該渡配線に引出余長をほとんど確保する必要がなくなり、補助トレーの回動がトレー内部の光部品に与える影響がほとんど無くなる。回動開閉機構による補助トレーの回動軸線は補助トレーと支持トレーとの境界全体に延在し、該回動軸線の近傍ならどこに布線しても渡配線の引出余長を不要とすることができるので、布線位置の自由度が向上するとともに、渡配線の心数を増大することができ、トレーの収納する光部品の種類や収納心数に対応する汎用性が向上するといった優れた効果を奏する。
【図面の簡単な説明】
【図１】  本発明の光配線盤の第１実施例を示す側面図である。
【図２】  本発明の光配線盤の第１実施例を示す図であって、分岐接続トレーを示す平面図である。
【図３】  本発明の光配線盤の第１実施例を示す図であって、分岐接続トレーを示す斜視図である。
【図４】  本発明の光配線盤の第１実施例を示す図であって、ブラケットを示す拡大側面図である。
【図５】  本発明の光配線盤の第１実施例の作用を示す側面図である。
【図６】  本発明の光配線盤の第２実施例を示す側面図である。
【図７】  本発明の光配線盤の第２実施例を示す図であって、分岐接続トレーを示す平面図である。
【図８】  本発明の光配線盤の第２実施例を示す図であって、分岐接続トレーを示す側面図である。
【図９】  本発明の光配線盤の第２実施例を示す図であって、分岐接続トレーの作用を示す側面図である。
【図１０】  従来例の光配線盤を示す正面図である。
【図１１】  本願発明が解決しようとする課題を示す側面図である。
【符号の説明】
１…函体、２…光ファイバケーブル、３ａ…光ファイバ心線（光ファイバ）、５０…光配線盤、５３…光接続部（光アダプタ）、５４…トレー（分岐接続トレー）、５６…支持手段（ブラケット）、５７…支持トレー、５８…補助トレー、５９…スライド回動機構、１００…光配線盤、１０１…補助トレー、１０２…回動開閉機構（ヒンジ機構）、１０３…トレー（分岐接続トレー）、１０５…端部（先端部）、ｊ…配線用光ファイバ（ジャンパコード）。
【図１】
0003824740.tif 000002
【図２】
0003824740.tif 000003
【図３】
0003824740.tif 000004
【図４】
0003824740.tif 000005
【図５】
0003824740.tif 000006
【図６】
0003824740.tif 000007
【図７】
0003824740.tif 000008
【図８】
0003824740.tif 000009
【図９】
0003824740.tif 000010
【図１０】
0003824740.tif 000011
【図１１】
0003824740.tif 000012